(57)【要約】【課題】負荷の異常発生時に確実に保護動作できる電源装置を提供する。【解決手段】電源装置10は、電源電圧を変換してＬＥＤ素子11に供給する電源電圧変換回路17を備える。異常検出手段30により、ＬＥＤ素子11の異常を検出する。第１の制御部21により、電源電圧変換回路17を制御するとともに、異常検出手段30がＬＥＤ素子11の異常を検出することで電源電圧変換回路17の出力を停止および低減のいずれか一方に制御する。第２の制御部22により、第１の制御部21に指令を与えるとともに、異常検出手段30がＬＥＤ素子11の異常を検出することで第１の制御部21を電源電圧変換回路17の出力の停止および低減のいずれか一方に制御する。【選択図】図１
2013242969.tif 000002
【特許請求の範囲】
【請求項１】
電源電圧を変換して負荷に供給する電源電圧変換回路と；
負荷の異常を検出する異常検出手段と；
電源電圧変換回路を制御するとともに、異常検出手段が負荷の異常を検出することで電源電圧変換回路の出力を停止および低減のいずれか一方に制御する第１の制御部と；
第１の制御部に指令を与えるとともに、異常検出手段が負荷の異常を検出することで第１の制御部を電源電圧変換回路の出力の停止および低減のいずれか一方に制御する第２の制御部と；
を具備していることを特徴とする電源装置。
【請求項２】
異常検出手段は、負荷の電圧を検出する電圧検出手段であり、
第１の制御部は、電圧検出手段で検出された電圧値が予め設定されている第１の閾値に達することで電源電圧変換回路の出力を停止および低減のいずれか一方に制御し、
第２の制御部は、電圧検出手段で検出された電圧値が予め設定されている第２の閾値に達することで第１の制御部を電源電圧変換回路の出力の停止および低減のいずれか一方に制御する
ことを特徴とする請求項１記載の電源装置。
【請求項３】
異常検出手段は、負荷の電流を検出する電流検出手段であり、
第１の制御部は、電流検出手段で検出された電流値が予め設定されている第１の閾値に達することで電源電圧変換回路の出力を停止および低減のいずれか一方に制御し、
第２の制御部は、電流検出手段で検出された電流値が予め設定されている第２の閾値に達することで第１の制御部を電源電圧変換回路の出力の停止および低減のいずれか一方に制御する
ことを特徴とする請求項１記載の電源装置。
【請求項４】
第１の閾値と第２の閾値とは異なる閾値レベルである
ことを特徴とする請求項２または３記載の電源装置。
【請求項５】
第１の閾値と第２の閾値とは同じ閾値レベルである
ことを特徴とする請求項２または３記載の電源装置。
【請求項６】
請求項１ないし５いずれか一記載の電源装置と；
電源装置の負荷としての光源と；
を具備していることを特徴とする照明装置。
【発明の詳細な説明】
【技術分野】
【０００１】
本発明の実施形態は、負荷の異常を検出して保護動作する電源装置、およびこの電源装置を用いた照明装置に関する。
【背景技術】
【０００２】
従来、例えば光源を負荷とする電源装置では、交流電源を整流回路で整流し、整流された電源電圧を電源電圧変換回路で変換して光源に供給し、光源を点灯させている。
【０００３】
このような電源装置では、電源電圧変換回路の出力を制御するとともに、光源に流れる電圧や電流などから光源の異常を検出すると、電源電圧変換回路の出力を停止または低減させる保護動作を行う制御部を備えている。
【先行技術文献】
【特許文献】
【０００４】
【特許文献１】特開２０１０−１１８３１９号公報
【発明の概要】
【発明が解決しようとする課題】
【０００５】
しかしながら、制御部に不具合が発生した場合、負荷の異常発生時に保護動作が行われない問題がある。また、制御部にマイコンを用いている場合、マイコンのプログラムの不具合や暴走などにより、負荷の異常発生時に保護動作が行われない虞があることが懸念されている。
【０００６】
本発明が解決しようとする課題は、負荷の異常発生時に確実に保護動作できる電源装置および照明装置を提供することである。
【課題を解決するための手段】
【０００７】
実施形態の電源装置は、電源電圧を変換して負荷に供給する電源電圧変換回路を備える。異常検出手段により、負荷の異常を検出する。第１の制御部により、電源電圧変換回路を制御するとともに、異常検出手段が負荷の異常を検出することで電源電圧変換回路の出力を停止および低減のいずれか一方に制御する。第２の制御部により、第１の制御部に指令を与えるとともに、異常検出手段が負荷の異常を検出することで第１の制御部を電源電圧変換回路の出力の停止および低減のいずれか一方に制御する。
【発明の効果】
【０００８】
本発明によれば、第１の制御部および第２の制御部とも、異常検出手段が負荷の異常を検出することにより電源電圧変換回路の出力を停止または低減させることができるため、第１の制御部および第２の制御部のいずれか一方に不具合があっても、正常な他方により確実に保護動作できる。
【図面の簡単な説明】
【０００９】
【図１】一実施形態を示す電源装置の回路図である。
【図２】電源装置を用いた照明装置の斜視図である。
【発明を実施するための形態】
【００１０】
以下、一実施形態を、図１および図２を参照して説明する。
【００１１】
図１において、電源装置10は、商用交流電源である交流電源Ｅに接続され、負荷としての光源であるＬＥＤ素子11に電力を供給し、ＬＥＤ素子11を点灯させるものである。この電源装置10は、例えば、シーリングライト、ベースライト、ダウンライト、防犯灯および道路灯などのＬＥＤ素子11を用いた照明装置に適用できる。なお、図１には１つのＬＥＤ素子11を示しているが、複数のＬＥＤ素子11を備えていてもよい。
【００１２】
電源装置10は、交流電源Ｅに接続される共通の入力部12、ＬＥＤ素子11が接続される出力部13、入力部12に接続されるフィルタ回路14、このフィルタ回路14に接続される整流平滑回路15、この整流平滑回路15の出力側に接続される力率改善回路16、この力率改善回路16の出力側と出力部13との間に接続される電源電圧変換回路17、力率改善回路16および電源電圧変換回路17を制御する制御回路18を具備している。
【００１３】
そして、フィルタ回路14は、一対の入力部12に並列に接続されるコンデンサC1、インダクタL1およびコンデンサC2を有し、交流電源Ｅ側から入力する雑音成分および交流電源Ｅ側に出る雑音成分を低減する。
【００１４】
また、整流平滑回路15は、全波整流器RECが用いられ、この全波整流器RECの入力端がフィルタ回路14の出力端に接続され、全波整流器RECの出力端に平滑コンデンサC3が接続されている。
【００１５】
また、力率改善回路16は、整流平滑回路15で整流平滑された電源電圧を所定の電源電圧に昇圧する昇圧チョッパ回路で構成されている。整流平滑回路15の出力端にチョッパチョークL2とＭＯＳＦＥＴなどの力率改善用のスイッチング素子Q1との直列回路が接続されている。スイッチング素子Q1と並列にダイオードD1および電解コンデンサである平滑コンデンサC4の直列回路が接続されている。
【００１６】
また、電源電圧変換回路17は、力率改善回路16で昇圧された電源電圧を所定の電源電圧に降圧してＬＥＤ素子11に出力する降圧チョッパ回路などのＤＣ−ＤＣコンバータで構成されている。電源電圧変換回路17は、平滑コンデンサC4の両端に並列に接続されたＭＯＳＦＥＴなどの出力制御用のスイッチング素子Q2とダイオードD2との直列回路を備えている。さらに、スイッチング素子Q2とダイオードD2との間に入力端が接続されたインダクタL3、およびインダクタL3の出力端に接続されるとともに出力部13に並列に接続された平滑コンデンサC4を備えている。
【００１７】
また、制御回路18は、力率改善回路16および電源電圧変換回路17を制御する第１の制御部21、および第１の制御部21に指令を与える第２の制御部22を備えている。
【００１８】
第１の制御部21は、力率改善用ＩＣ23および出力制御用ＩＣ24を備えている。力率改善用ＩＣ23は、スイッチング素子Q1のゲートに接続され、スイッチング素子Q1のスイッチング動作を制御する。出力制御用ＩＣ24は、スイッチング素子Q2のゲートに接続され、スイッチング素子Q2のスイッチング動作を制御する。なお、図１には、力率改善用ＩＣ23と出力制御用ＩＣ24とを別々に記載されているが、力率改善用ＩＣ23および出力制御用ＩＣ24を１つのＩＣで構成してもよい。
【００１９】
第２の制御部22は、マイコン25によって構成され、予め設定されている所定の制御プログラムに従って制御信号を出力し、出力制御部26を通じて第１の制御部21の出力制御用ＩＣ24に指令を与える。
【００２０】
制御回路18は、交流電源Ｅを所定の制御電源に変換して供給する制御電源部27を備えている。この制御電源部27からの制御電源は、マイコン25に供給されるとともにトランジスタQ3を介して力率改善用ＩＣ23および出力制御用ＩＣ24に供給される。トランジスタQ3のベースはマイコン25に接続され、マイコン25の制御によってトランジスタQ3がオン、オフすることにより、力率改善用ＩＣ23および出力制御用ＩＣ24への制御電源の供給、停止を制御する。
【００２１】
平滑コンデンサC3とチョッパチョークL2との接続点とグランドラインとの間に抵抗R1，R2，R3が接続され、抵抗R2と抵抗R3との接続点が力率改善用ＩＣ23およびマイコン25に接続されている。これにより、力率改善用ＩＣ23およびマイコン25は、整流平滑された電源電圧を検出する。
【００２２】
インダクタL3とコンデンサC5との接続点とグランドラインとの間に電圧検出手段28を構成する抵抗R4，R5が接続され、抵抗R4と抵抗R5との接続点が出力制御用ＩＣ24およびマイコン25に接続されている。電圧検出手段28により、ＬＥＤ素子11の電圧（もしくはＬＥＤ素子11の電圧に比例した電圧）が検出され、出力制御用ＩＣ24およびマイコン25に入力される。
【００２３】
ダイオードD2のアノードとコンデンサC5との間に電流検出手段29を構成する抵抗R6が接続され、抵抗R6とコンデンサC5との接続点が出力制御用ＩＣ24およびマイコン25に接続されている。電流検出手段29により、ＬＥＤ素子11の電流（もしくはＬＥＤ素子11の電流に比例した電流）が検出され、出力制御用ＩＣ24およびマイコン25に入力される。
【００２４】
これら電圧検出手段28および電流検出手段29が、ＬＥＤ素子11の異常を検出する異常検出手段30としても構成されている。
【００２５】
そして、出力制御用ＩＣ24は、異常検出手段30がＬＥＤ素子11の異常を検出することで電源電圧変換回路17の出力を停止または低減させるように制御する。すなわち、電圧検出手段28で検出された電圧値または電流値が予め設定されている第１の閾値に達することで電源電圧変換回路17の出力を停止または低減させるように制御する。
【００２６】
また、マイコン25は、異常検出手段30がＬＥＤ素子11の異常を検出することで第１の制御部21により電源電圧変換回路17の出力を停止または低減させるように制御する。すなわち、電流検出手段29で検出された電圧値または電流値が予め設定されている第２の閾値に達することで第１の制御部21により電源電圧変換回路17の出力を停止または低減させるように制御する。
【００２７】
第１の閾値および第２の閾値は、電圧の場合、ＬＥＤ素子11の短絡などの異常発生によって電圧が高くなったり低くなったりするため、正常時の電圧値より高い上限側の電圧値および低い下限側の電圧値の両方にそれぞれ設定される。また、電流の場合、ＬＥＤ素子11の電流が小さくなる分には問題がないので、正常時の電流値より高い上限側の電流値のみにそれぞれ設定される。
【００２８】
第１の閾値と第２の閾値とは、異なる閾値レベル、および同じ閾値レベルのいずれに設定してもよい。異なる閾値レベルの場合にも、第１の閾値の閾値レベルが第２の閾値レベルより小さい場合と大きい場合のいずれに設定してもよい。
【００２９】
次に、図２には、電源装置10を備えた照明装置33を示す。この照明装置33は、シーリングライトであり、円盤状の器具本体34、およびこの器具本体34の下面全体を覆うグローブ35を備えている。器具本体34の下面には、ＬＥＤ素子11を有するＬＥＤモジュール、ＬＥＤ素子11が発生する光の配光を制御する反射体、およびこの反射体内に収納される電源装置10などが配置されている。
【００３０】
次に、電源装置10の動作を説明する。
【００３１】
交流電源Ｅが投入されると、フィルタ回路14を通じて全波整流器RECで整流されるとともに平滑コンデンサC3で平滑された電源電圧が力率改善回路16に入力される。
【００３２】
力率改善回路16では、力率改善用ＩＣ23によりスイッチング素子Q1が予め設定されたスイッチング周波数でオンオフする。これにより、整流平滑された電源電圧が所定の電源電圧に昇圧される。さらに、昇圧された電源電圧が平滑コンデンサC4で平滑され、電源電圧変換回路17に供給される。
【００３３】
電源電圧変換回路17では、出力制御用ＩＣ24によりスイッチング素子Q2が予め設定されたスイッチング周波数でオンオフする。これにより、電源電圧変換回路17に供給された電源電圧が所定の電源電圧に降圧され、この降圧された電源電圧がＬＥＤ素子11に供給され、ＬＥＤ素子11が点灯する。
【００３４】
ＬＥＤ素子11が点灯中は、電圧検出手段28や電流検出手段29によって検出されるＬＥＤ素子11の電圧や電流を出力制御用ＩＣ24が取得し、この出力制御用ＩＣ24がＬＥＤ素子11の電圧や電流が目標値になるように、スイッチング素子Q2をフィードバック制御する。
【００３５】
電圧検出手段28や電流検出手段29によって検出されるＬＥＤ素子11の電圧や電流をマイコン25も取得し、マイコン25が出力制御用ＩＣ24に指令を与える。
【００３６】
次に、ＬＥＤ素子11の異常発生時の動作について説明する。
【００３７】
ここでは、例えば、ＬＥＤ素子11の電圧から異常を判定するものとし、正常時のＬＥＤ素子11の電圧が２Ｖであったとすると、マイコン25の第２の閾値は上限側が３Ｖ、下限側が１．５Ｖに設定され、出力制御用ＩＣの第１の閾値は上限側が４Ｖ、下限側が１Ｖに設定されているものとする。
【００３８】
電源装置10の稼動中は、マイコン25により電圧検出手段28で検出されたＬＥＤ素子11の電圧が第２の閾値に達したか否かを監視し、出力制御用ＩＣ24により電圧検出手段28で検出されたＬＥＤ素子11の電圧が第１の閾値に達したか否かを監視する。
【００３９】
なお、電源装置10の稼動中は、制御電源がマイコン25に供給され、このマイコン25が動作している。さらに、ＬＥＤ素子11の電圧が正常なときには、マイコン25からトランジスタQ3のベースに対してＬレベルの信号を付与し、トランジスタQ3がオンしており、制御電源がトランジスタQ3を通じて力率改善用ＩＣ23および出力制御用ＩＣ24に供給され、これら力率改善用ＩＣ23および出力制御用ＩＣ24が動作している。
【００４０】
ＬＥＤ素子11に例えば短絡などの異常が発生した場合、ＬＥＤ素子11の電圧が上昇する。マイコン25によりＬＥＤ素子11の電圧が第２の閾値（３Ｖ）に達したことを判断すると、マイコン25が保護動作を行う。マイコン25による保護動作では、マイコン25からトランジスタQ3のベースに対して付与する信号をＨレベルに切り換え、トランジスタQ3をオフさせ、力率改善用ＩＣ23および出力制御用ＩＣ24への制御電源の供給を遮断する。これにより、力率改善用ＩＣ23および出力制御用ＩＣ24の動作を停止させる。
【００４１】
仮に、マイコン25のプログラムの不具合によりＬＥＤ素子11の電圧が第２の閾値（３Ｖ）に達してもトランジスタQ3をオフさせることができなかった場合、ＬＥＤ素子11の電圧がさらに上昇し、出力制御用ＩＣ24によりＬＥＤ素子11の電圧が第１の閾値（４Ｖ）に達したことを判断すると、出力制御用ＩＣ24が保護動作を行う。出力制御用ＩＣ24による保護動作では、スイッチング素子Q2を停止または出力を低減するように制御する。これにより、スイッチング素子Q2からＬＥＤ素子11への出力の停止またはＬＥＤ素子11の電圧の上昇を抑制する。
【００４２】
また、ＬＥＤ素子11の電圧が下降する異常発生時にも、マイコン25および出力制御用ＩＣ24の順に同様の保護動作を行う。
【００４３】
このように、ＬＥＤ素子11の異常発生時に、マイコン25に不具合があっても、出力制御用ＩＣ24によって確実に保護動作を行うことができる。
【００４４】
また、マイコン25の第２の閾値と出力制御用ＩＣ24の第１の閾値との閾値レベルの設定は逆に設定してもよい。すなわち、出力制御用ＩＣ24の第１の閾値を上限側が３Ｖ、下限側が１．５Ｖに設定し、マイコン25の第２の閾値を上限側が４Ｖ、下限側が１Ｖに設定してもよい。この場合、ＬＥＤ素子11の異常発生時には、まず、出力制御用ＩＣ24で保護動作を行い、出力制御用ＩＣ24で保護動作ができなかったときには、マイコン25で保護動作を行う。このように、ＬＥＤ素子11の異常発生時に、出力制御用ＩＣ24に不具合があっても、マイコン25によって確実に保護動作を行うことができる。
【００４５】
また、ＬＥＤ素子11の電流から異常を判定する場合にも、正常時のＬＥＤ素子11の電流に対して、マイコン25の第２の閾値、出力制御用ＩＣ24の第１の閾値を設定することにより、同様に保護動作できる。この場合にも、マイコン25の第２の閾値と出力制御用ＩＣ24の第１の閾値とのいずれか一方の閾値レベルを小さく、他方の閾値レベルを大きく設定することにより、マイコン25および出力制御用ＩＣ24のいずれか一方で保護動作ができなかったときには、他方で保護動作を行うことができる。
【００４６】
以上のように、本実施形態の電源装置10は、第１の制御部21および第２の制御部22とも、異常検出手段30がＬＥＤ素子11の異常を検出することにより電源電圧変換回路17の出力を停止または低減させることができ、２重の保護機能を有するため、第１の制御部21および第２の制御部22のいずれか一方に不具合があっても、正常な他方により確実に保護動作できる。
【００４７】
また、出力制御用ＩＣ24が、電圧検出手段28または電流検出手段29で検出された電圧値または電流値が予め設定されている第１の閾値に達することで電源電圧変換回路17の出力を停止または低減するように制御し、かつ、マイコン25が、電圧検出手段28または電流検出手段29で検出された電圧値または電流値が予め設定されている第２の閾値に達することで出力制御用ＩＣ24による電源電圧変換回路17の出力を停止するように制御するため、出力制御用ＩＣ24およびマイコン25のいずれか一方に不具合があっても、正常な他方により確実に保護動作できる。
【００４８】
また、第１の閾値と第２の閾値とを異なる閾値レベルに設定することにより、出力制御用ＩＣ24およびマイコン25のいずれか一方に不具合があっても、正常な他方により確実に保護動作できる。
【００４９】
なお、第１の閾値と第２の閾値とは同じ閾値レベルに設定してもよい。この場合にも、出力制御用ＩＣ24およびマイコン25のいずれか一方に不具合があっても、正常な他方により確実に保護動作できる。
【００５０】
また、負荷としては、ＬＥＤ素子11に限らず、ＥＬ素子などの他の光源でもよく、光源以外の電気機器でもよい。
【００５１】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００５２】
10    電源装置
11    負荷としての光源であるＬＥＤ素子
17    電源電圧変換回路
21    第１の制御部
22    第２の制御部
28    電圧検出手段
29    電流検出手段
30    異常検出手段
33    照明装置
【図１】
2013242969.tif 000003
【図２】
2013242969.tif 000004